(57)【特許請求の範囲】
【請求項１】
複数の表示データを含み、ユーザの操作に応じて前記複数の表示データのいずれを表示するかを切り替えることが出来るインタラクティブデータを含む放送波を受信するデジタル放送受信装置であって、
前記インタラクティブデータを含む放送波を受信する受信部と、
ユーザの操作により指定された前記表示データからユーザに提示する画像データであるデータ信号を生成するデータ解釈部と、
記録媒体に記録された利用契約情報を取得し、前記利用契約情報に基づいて、前記複数の表示データを表示できる第１の状態であるか、前記複数の表示データの一部のみを表示できる第２の状態であるか、を判断する識別部と、
前記複数の表示データのうち、一部の前記表示データについては前記第１及び第２のどちらの状態の場合も、ユーザの操作に応じて前記データ解釈部に前記データ信号の生成を実行させ、前記一部の表示データ以外の前記表示データについては、前記第１の状態の場合にはユーザの操作に応じて前記データ解釈部に前記データ信号の生成を実行させ、前記第２の状態の場合には前記データ解釈部に前記データ信号の生成を実行させないよう制御するデータ操作制限部と、を備えるデジタル放送受信装置。
【請求項２】
前記放送波は番組の視聴契約を行う利用者を識別する放送契約情報を含み、
前記識別部は、前記放送契約情報と前記利用契約情報とを照合して、前記放送契約情報と前記利用契約情報とが一致する場合に前記第１の状態であると判断し、前記放送契約情報と前記利用契約情報とが一致しない場合、前記放送波の受信開始から所定時間が経過したか否かを判断し、前記放送波の受信開始から所定時間が経過していない場合は前記第２の状態であると判断し、前記放送波の受信開始から所定時間が経過している場合は前記インタラクティブデータを利用できない第３の状態であると判断し、
前記データ操作制限部は、前記第３の状態の場合には、前記複数の表示データのいずれに対しても前記データ解釈部に前記データ信号の生成を実行させないよう制御する
ことを特徴とする請求項１に記載のデジタル放送受信装置。
【請求項３】
前記インタラクティブデータは、前記複数の表示データのいずれかに対応付けられた、他の表示データへのリンクを示すリンク制御情報をさらに含み、
前記デジタル放送受信装置は、
ユーザによる操作を受け付け、ユーザの行った操作に応じたインタラクティブデータ操作信号を生成する入力部と、
現在表示中の表示データに対応付けられたリンク制御情報と、前記インタラクティブデータ操作信号とに基づいて、ユーザの選択した表示データを選択し、前記ユーザの選択した表示データが前記現在表示中の表示データと同一のグループに属するか否かを判定する、データ判別部と、をさらに備え、
前記データ操作制限部は、前記第２の状態の場合に、前記現在表示中の表示データと同一のグループである前記ユーザの選択した表示データについては前記データ解釈部に前記データ信号の生成を実行させ、前記現在表示中の表示データと異なるグループである前記ユーザの選択した表示データについては前記データ解釈部に前記データ信号の生成を実行させないよう制御する、
ことを特徴とする請求項１に記載のデジタル放送受信装置。
【請求項４】
前記インタラクティブデータは複数のコンポーネントを含み、複数の表示データは前記複数のコンポーネントのいずれかに含まれており、
前記データ判別部は、前記ユーザの選択した表示データが前記現在表示中の表示データと同一のコンポーネントに含まれるとき、前記ユーザの選択した表示データが前記現在表示中の表示データと同一のグループに属すると判断する、
ことを特徴とする請求項３に記載のデジタル放送受信装置。
【請求項５】
前記インタラクティブデータは複数のコンポーネントを含み、各前記コンポーネントは複数の受信単位を含み、複数の表示データは前記複数の受信単位のいずれかに含まれており、
前記データ判別部は、前記ユーザの選択した表示データが前記現在表示中の表示データと同一の受信単位に含まれるとき、前記ユーザの選択した表示データが前記現在表示中の表示データと同一のグループに属すると判断する、
ことを特徴とする請求項３に記載のデジタル放送受信装置。
【請求項６】
前記インタラクティブデータは、前記複数の表示データのいずれかに対応付けられた、前記インタラクティブデータの表示を制限する動作を記述したスクリプトをさらに含み、
前記データ解釈部は、現在表示中の前記表示データに対応付けられたスクリプトを翻訳して実行することにより、前記インタラクティブデータの表示を制限する、
ことを特徴とする請求項１に記載のデジタル放送受信装置。
【請求項７】
前記インタラクティブデータは、前記複数の表示データのいずれかに対応付けられ、前記対応付けられた表示データを前記第２の状態において表示できるか否かを示す視聴可能信号をさらに含み、
前記デジタル放送受信装置は、
ユーザによる操作を受け付け、ユーザの行った操作に応じたインタラクティブデータ操作信号を生成する入力部、をさらに備え、
前記データ操作制限部は、前記第２の状態の場合に、現在表示中の表示データに対応付けられたリンク制御情報と、前記インタラクティブデータ操作信号とに基づいて、ユーザの選択した表示データを選択し、対応する前記視聴可能信号が前記第２の状態において表示できることを示す前記ユーザの選択した表示データについては前記データ解釈部に前記データ信号の生成を実行させ、対応する前記視聴可能信号が前記第２の状態において表示できないことを示す前記ユーザの選択した表示データについては前記データ解釈部に前記データ信号の生成を実行させないよう制御する、
ことを特徴とする請求項１に記載のデジタル放送受信装置。
【請求項８】
前記デジタル受信装置は、利用者の操作を受け付ける入力部、をさらに備え、
前記データ操作制限部は、前記第２の状態の場合に、前記入力部において前記操作を受け付けた回数をカウントし、前記操作を受け付けた回数が所定値以下の操作により指定された前記表示データについては、前記データ解釈部に前記データ信号の生成を実行させ、前記操作を受け付けた回数が所定値を超えている操作により指定された前記表示データについては、前記データ解釈部に前記データ信号の生成を実行させないよう制御する、
ことを特徴とする請求項２に記載のデジタル放送受信装置。
【請求項９】
デジタル放送システムであって、
複数の表示データを含み、ユーザの操作に応じて前記複数の表示データのいずれを表示するかを切り替えることが出来るインタラクティブデータを含む放送波を放送するデジタル放送送信装置と、
請求項１に記載のデジタル放送受信装置と
を含むことを特徴とするデジタル放送システム。
【請求項１０】
複数の表示データを含み、ユーザの操作に応じて前記複数の表示データのいずれを表示するかを切り替えることが出来るインタラクティブデータを含む放送波を受信するデジタル放送受信装置で用いられるデジタル放送受信方法であって、
デジタル放送受信装置の受信部が、前記インタラクティブデータを含む放送波を受信する受信ステップと、
デジタル放送受信装置のデータ解釈部が、ユーザの操作により指定された前記表示データからユーザに提示する画像データであるデータ信号を生成する生成ステップと、
デジタル放送受信装置の識別部が、記録媒体に記録された利用契約情報を取得し、前記利用契約情報に基づいて、前記複数の表示データを表示できる第１の状態であるか、前記複数の表示データの一部のみを表示できる第２の状態であるか、を判断する判断ステップと、
デジタル放送受信装置のデータ操作制限部が、前記複数の表示データのうち、一部の前記表示データについては前記第１及び第２のどちらの状態の場合も、ユーザの操作に応じて前記データ解釈部に前記データ信号の生成を実行させ、前記一部の表示データ以外の前記表示データについては、前記第１の状態の場合にはユーザの操作に応じて前記データ解釈部に前記データ信号の生成を実行させ、前記第２の状態の場合には前記データ解釈部に前記データ信号の生成を実行させないよう制御する制限ステップと、を含むデジタル放送受信方法。
【請求項１１】
複数の表示データを含み、ユーザの操作に応じて前記複数の表示データのいずれを表示するかを切り替えることが出来るインタラクティブデータを含む放送波を受信するデジタル放送受信装置で用いられるプログラムを記録しているコンピュータ読み取り可能な記録媒体であって、
前記プログラムは、
デジタル放送受信装置の受信部が、前記インタラクティブデータを含む放送波を受信する受信ステップと、
デジタル放送受信装置のデータ解釈部が、ユーザの操作により指定された前記表示データからユーザに提示する画像データであるデータ信号を生成する生成ステップと、
デジタル放送受信装置の識別部が、記録媒体に記録された利用契約情報を取得し、前記利用契約情報に基づいて、前記複数の表示データを表示できる第１の状態であるか、前記複数の表示データの一部のみを表示できる第２の状態であるか、を判断する判断ステップと、
デジタル放送受信装置のデータ操作制限部が、前記複数の表示データのうち、一部の前記表示データについては前記第１及び第２のどちらの状態の場合も、ユーザの操作に応じて前記データ解釈部に前記データ信号の生成を実行させ、前記一部の表示データ以外の前記表示データについては、前記第１の状態の場合にはユーザの操作に応じて前記データ解釈部に前記データ信号の生成を実行させ、前記第２の状態の場合には前記データ解釈部に前記データ信号の生成を実行させないよう制御する制限ステップと、
を前記デジタル放送受信装置に実行させる、記録媒体。
【発明の詳細な説明】
【０００１】
【発明の属する技術分野】
本発明は、デジタル放送などで繰り返し放送されるインタラクティブデータを含む放送波を受信して擬似的に対話性を実現するデジタル放送受信技術に関する。
【０００２】
【従来の技術】
近年、料金を支払って見ることのできるテレビ放送（以下、有料放送と呼ぶ。）が運用されている。
特開平１１−２４３５３５号公報によると、デジタル通信衛星放送サービスでは、複数のトランスポート・ストリーム（以下、ＴＳと略す。）が、トランスポンダ（衛星中継器）の個数だけ並列的にデジタル放送データとして放送される。各ＴＳは、複数のトランスポート・パケット（以下、ＴＰと略す。）を時分割多重化したものである。各ＴＳには、複数の番組のデータが多重化されており、ユーザは、任意のＴＳの任意の番組を選択して視聴する。
【０００３】
有料デジタル放送では、受信する人を限定する限定受信方式が用いられている。具体的には、映像及び音声から構成されるＴＰは、ＴＰ毎に暗号化（以下、スクランブルと呼ぶ。）されている。これらのＴＰを解く（以下、デスクランブルと呼ぶ。）ためのスクランブル鍵と番組の属性情報とを含む番組情報（以下、ＥＣＭと呼ぶ。）は別のＴＰを構成し、ＥＣＭのＴＰは、映像及び音声から構成されるＴＰとともに、送信される。このＥＣＭのＴＰも暗号化されており、これを解くためのワーク鍵と、各ユーザの契約情報とは、個別情報（以下、ＥＭＭと呼ぶ。）として、各受信機に挿入されているＩＣカードの中に記憶されている。当該ＩＣカードに記憶されているワーク鍵を用いてＥＣＭのＴＰがデスクランブルされ、スクランブル鍵が取り出され、ＥＣＭ中の番組の属性情報と、ＥＭＭ中の各ユーザーの契約情報とが照合されて、どの番組をデスクランブルすることができるか判定され、デスクランブルすることができると判定された番組について、ユーザは、前記スクランブル鍵を用いてデスクランブルされた映像及び音声を視聴することが可能になる。
【０００４】
また、一般に有料放送においては、料金を払わなくても視聴可能なある定められた時間（以下、プレビュー時間と呼ぶ。）が存在し、ユーザは、プレビュー時間において、料金を支払わずに番組を視聴できる。
ところで、放送のデジタル化に伴い、映像及び音声だけでなく大容量のデータ配信が可能となり、衛星デジタル放送サービスでは、このデータ配信を用いたデータ放送が実用化されている。この衛星デジタル放送サービスは、送信局から映像情報等が一方的に放送されるだけであり、受信側端末との対話性のないものである。特開平１０―３１３４４９号公報に開示されているように、送信局は、複数の放送データを繰り返し放送し、受信側端末は、対話的に切り換えながら１個の放送データ情報を受信し再生する。こうして、送信局と受信側端末との間で擬似的な対話性を実現している。以下この明細書において、上記のように送信されるデータをインタラクティブデータと呼ぶ。
【０００５】
【発明が解決しようとする課題】
しかしながら、上記のプレビュー時間におけるインタラクティブデータの視聴制限は存在しないので、１番組内でインタラクティブデータの更新がない場合などに、送信されるインタラクティブデータの全てをユーザがプレビュー時間内に操作することにより、料金を払わなくてもインタラクティブデータの内容を全て知られてしまう可能性があるという問題点がある。また、一般的に映像情報、音声情報はメモリに蓄積しないが、インタラクティブデータは受信側端末のメモリに蓄積されるので、インタラクティブデータの提示及び操作が可能な状態が続いてしまうという問題点がある。これは情報提供側の意図するところではない。
【０００６】
本発明は、上記問題点を解決するために、有料放送におけるプレビュー時間内のインタラクティブデータの利用を抑制するデジタル放送受信装置、デジタル放送システム、受信方法及び受信プログラムを記録している記録媒体を提供することを目的とする。
【０００７】
【課題を解決するための手段】
上記目的を達成するために、本発明は、繰り返し放送されるインタラクティブデータを含む放送波を受信して擬似的に対話性を実現するデジタル放送受信装置であって、インタラクティブデータを含む放送波を受信する受信手段と、受信した放送波を利用するための条件を示す利用契約情報に基づいて、前記放送波を受信している状態が、プレビュー状態、視聴禁止状態及び他の状態のいずれであるかを判断し、ここで、前記プレビュー状態は、前記利用契約の締結なしに利用できることを示す状態であり、前記視聴禁止状態は、前記利用契約の締結がなく利用できないことを示す状態である判断手段と、プレビュー状態及び視聴禁止状態であると判断された場合に、前記インタラクティブデータの利用を抑制する抑制手段とを備えることを特徴とする。
【０００８】
ここで、放送波を利用するための条件を示す放送契約情報を含む放送波が放送され、前記デジタル放送受信装置において、前記受信手段は、前記放送契約情報を含む放送波を受信し、前記判断手段は、当該放送波を利用するための条件を示す利用契約情報が記録されている記録媒体から前記利用契約情報を取得する利用契約情報取得手段と、受信した前記放送波に含まれる前記放送契約情報と、前記記録媒体から取得した前記利用契約情報とを照合して、一致するか否かを判断し、一致すると判断する場合に、契約が締結された状態であるとし、一致しないと判断する場合に、契約が締結されていない状態であるとする契約照合手段と、契約が締結されていない状態であるとされた場合に、放送波の受信開始から所定時間が経過したか否かを判断し、前記所定時間以内である場合に、プレビュー状態であるとし、前記所定時間を超える場合に、視聴禁止状態とするプレビュー状態判断手段とを含むように構成してもよい。
【０００９】
ここで、複数の表示データと、各表示データに対応付けられ他の表示データへのリンクを示すリンク制御情報とから構成されるインタラクティブデータを含む放送波が放送され、前記デジタル放送受信装置において、前記複数の表示データのうちの１の表示データが表示されており、前記受信手段は、前記インタラクティブデータを含む放送波を受信し、前記抑制手段は、利用者の操作を受け付ける入力受付手段と、プレビュー状態又は視聴禁止状態であると判断された場合に、受け付けられた前記操作に基づいて、前記１の表示データに対応付けられたリンク制御情報により、リンクが示されている他の表示データと、表示されている前記１の表示データとが同じグループに属するか否かを判断し、同じグループに属すると判断されるときに、前記リンク制御情報によりリンクが示されている他の表示データを取得し、同じグループに属さないと判断されるときに、受け付けられた前記操作の利用を抑制するリンク手段と、取得した前記他の表示データを表示する表示手段とを含むように構成してもよい。
【００１０】
ここで、前記放送波は、複数のコンポーネントから構成され、１のコンポーネントは、複数の表示データを含み、他の１のコンポーネントは、他の複数の表示データを含み、前記リンク手段は、前記１の表示データが、同じコンポーネントに含まれるとき、同じグループに属すると判断するように構成してもよい。
ここで、前記放送波は、複数のコンポーネントから構成され、１のコンポーネントは、複数の受信データを含み、他の１のコンポーネントは、他の複数の受信データを含み、各受信データは、複数の表示データを含み、前記リンク手段は、前記１の表示データが、同じ受信データに含まれるとき、同じグループに属すると判断するように構成してもよい。
【００１１】
ここで、前記放送波は、複数のコンポーネントから構成され、１のコンポーネントは、複数の受信データを含み、他の１のコンポーネントは、他の複数の受信データを含み、各受信データは、複数の表示データを含み、前記リンク手段は、前記１の表示データが、同じ表示データであるとき、同じグループに属すると判断するように構成してもよい。
【００１２】
ここで、複数の表示データと、各表示データに対応付けられ他の表示データへのリンクを示すリンク制御情報と、前記インタラクティブデータの利用を抑制する動作を記述したスクリプトとから構成されるインタラクティブデータを含む放送波が放送され、前記受信手段は、前記インタラクティブデータを含む放送波を受信し、前記抑制手段は、前記インタラクティブデータに含まれるスクリプトを翻訳して実行することにより、前記インタラクティブデータの利用を抑制するように構成してもよい。
【００１３】
ここで、前記スクリプトは、プレビュー状態又は視聴禁止状態であるときに利用者のリンク操作を禁止する記述と、他の状態であるときに利用者のリンク操作を許可する記述とを含み、前記複数の表示データのうちの１の表示データが表示されており、前記受信手段は、前記インタラクティブデータを含む放送波を受信し、前記抑制手段は、利用者の操作を受け付ける入力受付手段と、前記スクリプトを翻訳し、前記スクリプトが、前記リンク操作を禁止する記述を含むと判断する場合に、プレビュー状態又は視聴禁止状態であるときに、受け付けられた前記操作を抑制し、前記スクリプトが、前記リンク操作を許可する記述を含むと判断する場合に、他の状態であるときに、前記受け付けられた操作によりリンクが示された他の表示データを取得するスクリプト実行手段と、取得した前記他の表示データを表示する表示手段とを含むように構成してもよい。
【００１４】
ここで、前記スクリプトのリンク操作を禁止する記述は、さらにリンク操作の禁止に係るメッセージの表示を含み、前記スクリプト実行手段は、前記スクリプトが、前記メッセージの表示含むと判断する場合に、前記メッセージを表示するように構成してもよい。
ここで、複数の表示データと、各表示データに対応付けられ他の表示データへのリンクを示すリンク制御情報と、視聴許可又はプレビュー許可を示す視聴可能信号とから構成されるインタラクティブデータを含む放送波が放送され、前記デジタル放送受信装置において、前記複数の表示データのうちの１の表示データが表示されており、前記受信手段は、前記インタラクティブデータを含む放送波を受信し、前記抑制手段は、利用者の操作を受け付ける入力受付手段と、プレビュー状態であると判断された場合に、前記視聴可能信号がプレビュー可能を示すとき、前記受け付けられた操作によりリンクが示された他の表示データを取得し、前記視聴可能信号がプレビュー可能以外を示すとき、前記受け付けられた操作の利用を抑制し、他の状態であると判断された場合に、前記視聴可能信号が視聴許可を示すとき、前記受け付けられた操作によりリンクが示された他の表示データを取得し、前記視聴可能信号が視聴許可以外を示すとき、前記受け付けられた操作の利用を抑制するリンク手段と、取得した前記他の表示データを表示する表示手段とを含むように構成してもよい。
【００１５】
ここで、複数の表示データと、各表示データに対応付けられ他の表示データへのリンクを示すリンク制御情報とから構成されるインタラクティブデータを含む放送波が放送され、前記デジタル放送受信装置において、前記複数の表示データのうちの１の表示データが表示されており、前記受信手段は、前記インタラクティブデータを含む放送波を受信し、前記抑制手段は、利用者の操作を受け付ける入力受付手段と、前記操作を受け付けた回数を計数するカウント手段と、プレビュー状態又は視聴禁止状態であると判断された場合に、計数された前記回数が所定値を超えるとき、受け付けられた前記操作の利用を抑制するリンク手段とを含むように構成してもよい。
【００１６】
ここで、複数の表示データと、各表示データに対応付けられ他の表示データへのリンクを示すリンク制御情報とから構成されるインタラクティブデータを含む放送波が放送され、前記デジタル放送受信装置において、前記複数の表示データのうちの１の表示データが表示されており、前記受信手段は、前記インタラクティブデータを含む放送波を受信し、前記抑制手段は、利用者の操作を受け付ける入力受付手段と、プレビュー状態又は視聴禁止状態であると判断された場合に、受け付けられた前記操作の利用を抑制し、他の状態であると判断された場合に、前記受け付けられた操作によりリンクが示された他の表示データを取得するリンク手段と、取得した前記他の表示データを表示する表示手段とを含むように構成してもよい。
【００１７】
【発明の実施の形態】
本発明の１の実施の形態としてのデジタル放送システム１０について説明する。
１．デジタル放送システム１０の構成
デジタル放送システム１０は、図１に示すように、送信装置２０、放送衛星３０、複数のインタラクティブデータ受信装置１００ａ、１００ｂ、・・・、及び複数のモニタ装置から構成される。
【００１８】
１．１  送信装置２０
送信装置２０は、デジタル放送サービスを提供する放送局内に設置され、映像データ、音声データ及びインタラクティブデータなどから構成される受信信号と、有料放送の視聴制限や課金のために用いられる視聴可能識別情報とを含むＭＰＥＧ２トランスポートストリームを、放送衛星３０を介して、放送波として送信する。
【００１９】
インタラクティブデータの伝送方式であるＭＰＥＧ２トランスポートストリーム２００のデータ構造を図２に示す。
ＭＰＥＧ２トランスポートストリーム２００は、伝送路上でパケット単位に分割され送信される。各パケットは、パケットを識別するためのＰＩＤと呼ばれる識別情報を含んでいる。同一のＰＩＤを含んで伝送される複数のパケットをコンポーネントと呼ぶ。
【００２０】
この図に示すように、ＭＰＥＧ２トランスポートストリーム２００は、コンポーネント２１７、２１９、２０１、２０４及び図示していない他のコンポーネントを含む。各コンポーネントには、当該コンポーネントを識別するコンポーネントｉｄが付加されている。コンポーネント２０１及び２０４のコンポーネントｉｄは、それぞれ「４００」及び「５００」である。なお、コンポーネント２１７及び２１９のコンポーネントｉｄは、図示していな。
【００２１】
コンポーネント２１７は、視聴可能識別情報２１８を含み、視聴可能識別情報２１８は、番組毎の視聴契約を示す契約情報を含む。前記契約情報には、例えば、定期的に番組を視聴する旨の契約を示す情報や、番組を視聴する毎に料金を支払う旨の契約（ｐａｙ  ｐｅｒ  ｖｉｅｗ）を示す情報などが含まれる。映像データや音声データは、他のコンポーネントである映像データコンポーネント及び音声データコンポーネントに含まれている。
【００２２】
コンポーネント２１９は、視聴可能識別情報２２０を含み、視聴可能識別情報２２０は、番組の視聴契約を行う利用者を識別するユーザ識別子を含む。
コンポーネント２０１は、受信単位２０２、受信単位２１４及び他の受信単位を含み、受信単位２０２は、提示単位２０３及び他の提示単位を含む。
受信単位には、当該受信単位を識別する受信単位ｉｄが付加されている。また、提示単位には、当該提示単位を識別する提示単位ｉｄが付加されている。
【００２３】
具体的には、図２に示すように、受信単位２０２及び２１４をそれぞれ識別する受信単位ｉｄは、「４１０」及び「４２０」である。また、提示単位２０３を識別する提示単位ｉｄは、「４１１」である。
コンポーネント２０４は、受信単位２０５、受信単位２０７及び他の受信単位を含み、受信単位２０５は、提示単位２０６、提示単位２１３及び他の提示単位を含み、受信単位２０７は、提示単位２０８、提示単位２０９及び他の提示単位を含む。
【００２４】
図２に一例として示すＭＰＥＧ２トランスポートストリーム２００においては、コンポーネント２０１及び２０４が、インタラクティブデータである。これらのコンポーネントに含まれる受信単位が繰り返し送信される。
インタラクティブデータは、その中に定義されているリンクをたどることにより、提示単位を切りかえることができる。以下、この操作をハイパーリンクと呼ぶ。ここで、提示単位は、画面に表示するための文字列データ、ビットマップデータ、ハイパーリンクデータ、及び図１７に一例として示すような手続き記述可能なスクリプトを含んでいる。
【００２５】
提示単位のデータ構造を、提示単位２０６を一例として、図３に示す。
図３に示すように、提示単位は、ビットマップ表、文字列表、スクリプト表及びハイパーリンク表を含んでいる。
ビットマップ表は、表示するビットマップを識別するビットマップインデックスと当該ビットマップデータとからなる組を含む。具体的には、ビットマップ表は、インデックス「０」、「１」及び「２」のそれぞれに対応付けて、ビットマップデータ「東京」、「大阪」及び「ニュースへ」を含む。
【００２６】
文字列表は、表示する文字列を識別する文字列インデックスと当該文字列データとからなる組を含む。具体的には、文字列表は、インデックス「０」に対応付けて文字列データ「天気予報」を含む。
スクリプト表は、手続きが記述されたスクリプトを識別するスクリプトインデックスと当該スクリプトデータとから構成される。スクリプト表は、インデックス「０」に対応付けてスクリプトデータを含む。
【００２７】
ハイパーリンク表は、ハイパーリンクを識別するハイパーリンクインデックスと当該ハイパーリンクとから構成される。具体的には、ハイパーリンク表は、インデックス「２１０」、「２１１」及び「２１２」のそれぞれに対応付けて、ハイパーリンク先「Ｉｄ＝５１２」、「Ｉｄ＝５１１」及び「Ｉｄ＝５２１」を含んでいる。
【００２８】
ビットマップ表の各組は、ハイパーリンク表の各組とそれぞれ対応している。
このように、提示単位２０６において、ビットマップデータ「大阪」について、提示単位２０８へのリンク２１０が付加されており、ビットマップデータ「東京」の文字列について、提示単位２０９へのリンク２１１が付加されている。
また、提示単位２０８及び２０９についても、同様のデータ構造を有しており、提示単位２０８において、提示単位２０６へのリンク２１０が付加され、提示単位２０９において、提示単位２０６へのリンク２１１が付加されている。
【００２９】
これにより、提示単位２０６において、リンク２１０をたどって提示単位２０８に切り換えることができ、リンク２１１をたどって提示単位２０９に切り換えることができる。また、提示単位２０８において、リンク２１０をたどって提示単位２０６に切り換えることができ、提示単位２０９において、リンク２１１をたどって、提示単位２０６に切り換えることができる。
【００３０】
１．２  インタラクティブデータ受信装置１００の構成
インタラクティブデータ受信装置１００ａ、１００ｂ、・・・は、それぞれ同じ構成を有するので、ここでは、インタラクティブデータ受信装置１００として説明する。
インタラクティブデータ受信装置１００は、図４に示すように、受信部１０１、識別部１０２、復元部１０３、データ解釈部１０４、ＡＶ再生部１０５、合成部１０６、制御部１０７、データ記憶部１０８、ＩＣメモリカード入出力部１０９、入力部１１０、データ提示制限部１１５、データ操作制限部１１６及びデータ判別部１１７を備えている。
【００３１】
（１）データ記憶部１０８
データ記憶部１０８は、具体的には半導体メモリから構成され、図５に示すように、提示単位と購入状態とコンポーネントＩｄと受信単位Ｉｄと提示中フラグとを格納する領域を備えている。
提示単位については、前述した通りであるので、説明を省略する。
【００３２】
購入状態は、利用者が番組を購入したか否かを示すものであり、「視聴許可状態」、「プレビュー状態」及び「視聴禁止状態」のいずれかの値を有する。「視聴許可状態」は、利用者が番組を購入し番組の視聴が可能であることを示す。「プレビュー状態」は、利用者が番組を購入していない場合において、所定の時間内において番組の視聴が可能であるプレビュー可能状態を示す。ここで、所定の時間は、一例として１分間である。この時間をプレビュー時間と呼ぶ。また、「視聴禁止状態」は、利用者が番組を購入していない場合において、プレビュー可能状態が終了し、番組の視聴が許されない視聴禁止状態である。
【００３３】
提示中フラグは、記憶されている提示単位がモニタ装置に現在表示されているか否かを示す。提示中フラグが、「１」の場合に、前記提示単位がモニタ装置に表示されていることを示し、提示中フラグが、「０」の場合に、前記提示単位がモニタ装置に表示されていないことを示す。
（２）ＩＣメモリカード入出力部１０９
ＩＣメモリカードは、半導体メモリから構成され、内部に利用者の契約情報を記憶している。ＩＣメモリカードは、利用者によりインタラクティブデータ受信装置１００に挿入され、ＩＣメモリカードとＩＣメモリカード入出力部１０９とが接続される。
【００３４】
ＩＣメモリカード入出力部１０９は、接続されたＩＣメモリカードに記憶されている利用者の契約情報を読み出し、読み出した契約情報を、制御部１０７を介して識別部１０２へ出力する。
（３）受信部１０１
受信部１０１は、放送波として送られてくるＭＰＥＧ２トランスポートストリーム（以下、ＴＳと呼ぶ。）を繰り返し受信し、受信したＴＳから映像データ、音声データ及びインタラクティブデータを含む受信信号と視聴可能識別情報とを抽出し、抽出した前記視聴可能識別情報を識別部１０２に出力し、抽出した前記受信信号を復元部１０３へ出力する。
【００３５】
（４）識別部１０２
識別部１０２は、受信部１０１から視聴可能識別情報を受け取り、受け取った前記視聴可能識別情報を用いて、購入状態の識別を次のようにして行う。
識別部１０２は、ＩＣメモリカード入出力部１０９から制御部１０７を介して利用者の契約情報を取得し、受け取った視聴可能識別情報に含まれている契約情報と、取得した利用者の契約情報を照合し、一致するなら、契約が締結され番組を購入している視聴許可状態であると判断し、一致していないなら番組を購入していないと判断する。さらに、識別部１０２は、番組を購入していないと判断する場合において、プレビュー時間内であるか否かを判断し、プレビュー時間内であると判断するとき、プレビュー状態であるとし、プレビュー時間を経過しているとき、視聴禁止状態とする。
【００３６】
識別部１０２は、このようにして識別した購入状態を基にして、購入状態提示信号を生成する。ここで、購入状態提示信号は、有料の番組を購入しその視聴を許された視聴許可状態、有料信号を購入していないが一定の決まったプレビュー時間内において有料放送を無料で視聴することを許されたプレビュー状態、有料信号を購入しておらず、かつプレビュー時間が終了して有料信号を視聴することを禁止された視聴禁止状態のいずれかを示す値をとる。次に、識別部１０２は、生成した購入状態提示信号を復元部１０３へ出力する。
【００３７】
なお、識別部１０２は、購入状態提示信号をデータ解釈部１０４、データ提示制限部１１５及びデータ操作制限部１１６へ直接出力するとしてもよい。
（５）復元部１０３
復元部１０３は、受信部１０１から受信信号を受け取り、識別部１０２から購入状態提示信号を受け取り、受け取った受信信号を分離して映像データ、音声データ及びインタラクティブデータを生成し、生成した映像データ及び音声データをＡＶ復元信号としてＡＶ再生部１０５へ出力し、生成したインタラクティブデータをデータ復元信号としてデータ提示制限部１１５へ出力し、受け取った前記購入状態提示信号を内部に記憶し、また受け取った前記購入状態提示信号をデータ提示制限部１１５へ出力する。
【００３８】
（６）ＡＶ再生部１０５
ＡＶ再生部１０５は、復元部１０３からＡＶ復元信号を受け取り、受け取ったＡＶ復元信号を再生してＡＶ信号を生成し、生成したＡＶ信号を合成部１０６へ出力する。
（７）合成部１０６及びモニタ装置
合成部１０６は、ＡＶ再生部１０５からＡＶ信号を受け取り、データ解釈部１０４からデータ信号を受け取り、受け取った前記ＡＶ信号と受け取った前記データ信号を合成して映像音声信号を生成し、生成した映像音声信号をインタラクティブデータ受信装置１００に接続されているモニタ装置へ出力する。
【００３９】
前記モニタ装置は、映像音声信号を受け取り、受け取った映像音声信号を出力する。
（８）データ提示制限部１１５
データ提示制限部１１５は、復元部１０３からデータ復元信号と購入状態提示信号とを受け取り、受け取ったデータ復元信号と購入状態提示信号とをデータ解釈部１０４へ出力する。
【００４０】
（９）入力部１１０
入力部１１０は、具体的には、リモコンなどから構成される。リモコンは、電源ＯＮ／ＯＦＦ、数字ボタン、上、下、右及び左ボタン、選択ボタン、決定ボタンなどを表面上に備え、利用者によりこれらのボタンが操作されると、これらのボタンに対応するボタン情報からなるインタラクティブデータ操作信号を生成し、生成したインタラクティブデータ操作信号を制御部１０７へ出力する。
【００４１】
（１０）制御部１０７
制御部１０７は、入力部１１０からインタラクティブデータ操作信号を受け取り、受け取ったインタラクティブデータ操作信号をデータ操作制限部１１６へ出力する。
（１１）データ解釈部１０４
データ解釈部１０４は、データ提示制限部１１５からデータ復元信号と購入状態提示信号とを受け取る。また、データ操作制限部１１６からインタラクティブデータ操作信号を受け取る。
【００４２】
データ解釈部１０４は、受け取った前記データ復元信号に含まれる１個の提示単位を解釈して視聴者に提示する映像データを生成し、生成した映像データをデータ信号として合成部１０６へ出力する。なお、データ復元信号に含まれる提示単位の中には、最初に表示すべき旨を示す情報を含むものがある。データ解釈部１０４は、まずこの最初に表示すべき旨を示す情報を含む提示単位を判別し、判別された提示単位から上記に示すようにしてデータ信号を生成して出力する。
【００４３】
制御部１０７からインタラクティブデータ操作信号を受け取ったとき、データ解釈部１０４は、受け取ったインタラクティブデータ操作信号に応じて、前記データ復元信号に含まれる複数の提示単位の中から１個の提示単位を選択して、上記に示すようにして、データ信号を生成して出力する。
また、データ解釈部１０４は、受け取った前記購入状態提示信号をデータ操作制限部１１６へ出力し、生成した前記データ復元信号をデータ判別部１１７へ出力する。
【００４４】
具体的には、図２に示す提示単位２０６から生成された映像データがモニタ装置に表示されている状態において、利用者が「東京」を選択したとき、制御部１０７は、「東京」を選択するためのインタラクティブデータ操作信号を受け取り、データ解釈部１０４は、前記インタラクティブデータ操作信号を受け取り、提示単位２０６から「東京」にリンク付けされた提示単位２０９を認識し、放送波から提示単位２０９を抽出し、抽出した提示単位２０９から映像データを生成し、生成した映像データをデータ信号として合成部１０６を介してモニタ装置へ出力し、モニタ装置は、前記映像データを表示する。
【００４５】
（１２）データ判別部１１７
データ判別部１１７は、データ解釈部１０４からデータ復元信号を受け取り、データ操作制限部１１６からインタラクティブデータ操作情報を受け取る。
次に、データ判別部１１７は、提示単位内のビットマップ表から、受け取ったインタラクティブデータ操作情報により指定されるビットマップデータとインデックスとからなる組を特定する。
【００４６】
次に、データ判別部１１７は、提示単位内のハンパーリンク表において、特定された前記組に対応するインデックスとハイパーリンク先とからなる組を特定し、特定された組に含まれるハイパーリンク先を取得する。
次に、データ判別部１１７は、ハイパーリンク先が示すＩｄと現在の提示単位のＩｄとを比較することにより、受け取ったインタラクティブデータ操作情報により示されるハイパーリンク先の提示単位が、現在提示中の提示単位と同グループに所属するかを判別する。具体的には、それぞれのＩｄの１００の位が一致するか否かを判断し、一致するなら、一致を示す判断結果を生成し、一致しないなら不一致を示す判断結果を生成する。
【００４７】
なお、この判断方法は、一例であり、他の方法を用いるとしてもよい。
次に、データ判別部１１７は、生成した判別結果をデータ操作制限部１１６へ出力する。
ここで、提示単位を識別するＩｄは、１０進数により表現される３桁の数字から構成される。１００の位が同じＩｄにより識別される提示単位は、同じコンポーネントに含まれる。また、１００の位が同じであって、かつ１０の位が同じであるＩｄにより識別される提示単位は、同じコンポーネント内で同じ受信単位に含まれることを示す。
【００４８】
（１３）データ操作制限部１１６
データ操作制限部１１６は、制御部１０７からインタラクティブデータ操作信号を受け取り、データ判別部１１７から判別結果を受け取り、データ解釈部１０４から購入状態提示信号を受け取る。
データ操作制限部１１６は、受け取ったインタラクティブデータ操作信号を、インタラクティブデータ操作情報としてデータ判別部１１７に出力する。
【００４９】
また、データ操作制限部１１６は、受け取った購入状態提示信号が視聴許可状態である場合には、インタラクティブデータ操作信号をデータ解釈部１０４へ出力する。また、受け取った購入状態提示信号がプレビュー状態又は視聴禁止状態である場合には、判別結果が同一グループを示すとき、インタラクティブデータ操作信号をデータ解釈部１０４へ出力する。
【００５０】
１．３  インタラクティブデータ受信装置１００の動作
インタラクティブデータ受信装置１００の動作について説明する。
（１）インタラクティブデータ受信装置１００全体の概要動作
インタラクティブデータ受信装置１００全体の概要動作について、図６に示すフローチャートを用いて説明する。
【００５１】
ＩＣメモリカード入出力部は、ＩＣメモリカードに記憶されている利用者の契約情報を読み出す（ステップＳ１０１）。
次に、受信部１０１は、ＴＳを受信し（ステップＳ１０２）、識別部１０２は、購入状態提示信号を生成して出力する（ステップＳ１０３）。
また、ステップＳ１０２が終了し、かつステップＳ１０３が終了すると、復元部１０３は、データ復元信号を生成する（ステップＳ１０４）。
【００５２】
一方、ステップＳ１０１がすると、入力部１１０は、利用者の操作を受け付け（ステップＳ１１１）、制御部１０７は、インタラクティブデータ操作信号を出力する（ステップＳ１１２）。
また、ステップＳ１０４が終了すると、データ提示制限部１１５の処理が実施され（ステップＳ１０５）、データ解釈部１０４の処理が実施され（ステップＳ１０６）、データ判別部１１７の処理が実施され（ステップＳ１０７）、データ操作制限部１１６の処理が実施され（ステップＳ１０８）、次にステップＳ１０６へ戻る。
【００５３】
次に、ステップＳ１０４が終了すると、ＡＶ再生部１０５は、ＡＶ信号を生成する（ステップＳ１０９）。ステップＳ１０９及びＳ１０６が終了すると、合成部１０６は、映像音声信号を生成し、モニタ装置へ出力する（ステップＳ１１０）。次に、ステップＳ１０２へ戻って処理を繰り返す。
（２）受信部１０１の動作
受信部１０１の動作について、図７に示すフローチャートを用いて説明する。
【００５４】
受信部１０１は、ＴＳを受信し（ステップＳ１２１）、受信したＴＳから受信信号と視聴可能識別情報とを抽出し（ステップＳ１２２）、抽出した前記受信信号を復元部１０３へ出力し（ステップＳ１２３）、抽出した前記視聴可能識別情報を識別部１０２に出力する（ステップＳ１２４）。次に、ステップＳ１２１へ戻って上記処理を繰り返す。
【００５５】
（３）識別部１０２の動作
識別部１０２の動作について、図８に示すフローチャートを用いて説明する。
識別部１０２は、受信部１０１から視聴可能識別情報を受け取り（ステップＳ１４１）、ＩＣメモリカード入出力部１０９から制御部１０７を介して利用者の契約情報を取得し（ステップＳ１４２）、受け取った視聴可能識別情報に含まれている契約情報と、取得した利用者の契約情報を照合し、一致するなら（ステップＳ１４３）、視聴許可状態である購入状態提示信号を生成する（ステップＳ１４７）。一致していないなら（ステップＳ１４３）、放送波の受信を開始してからプレビュー時間内であるか否かを判断し、プレビュー時間内であると判断するとき（ステップＳ１４４）、プレビュー状態である購入状態提示信号を生成する（ステップＳ１４６）。プレビュー時間を超えると判断するとき（ステップＳ１４４）、視聴禁止状態である購入状態提示信号を生成する（ステップＳ１４５）。
【００５６】
次に、識別部１０２は、生成した購入状態提示信号を復元部１０３へ出力する（ステップＳ１４８）。
なお、上記において、プレビュー時間を１分間としているが、プレビュー時間は、１分間に限定されるものではなく、他の値であってもよい。
（４）復元部１０３の動作
復元部１０３の動作について、図９に示すフローチャートを用いて説明する。
【００５７】
復元部１０３は、受信部１０１から受信信号を受け取り（ステップＳ１６１）受け取った受信信号を分離して映像データ、音声データ及びインタラクティブデータを生成する（ステップＳ１６２）。次に、生成した映像データ及び音声データをＡＶ復元信号としてＡＶ再生部１０５へ出力し（ステップＳ１６３）、また生成したインタラクティブデータをデータ復元信号としてデータ提示制限部１１５へ出力する（ステップＳ１６４）。次に、ステップＳ１６１又はＳ１６５へ戻って処理を繰り返す。
【００５８】
一方、復元部１０３は、識別部１０２から購入状態提示信号を受け取り（ステップＳ１６５）、受け取った前記購入状態提示信号を内部に記憶し（ステップＳ１６６）、また受け取った前記購入状態提示信号をデータ提示制限部１１５へ出力する（ステップＳ１６７）。次に、ステップＳ１６１又はＳ１６５へ戻って処理を繰り返す。
【００５９】
（５）データ提示制限部１１５の動作
データ提示制限部１１５の動作について、図１０に示すフローチャートを用いて説明する。
データ提示制限部１１５は、復元部１０３からデータ復元信号と購入状態提示信号とを受け取り（ステップＳ１８１）、受け取ったデータ復元信号と購入状態提示信号とをデータ解釈部１０４へ出力する（ステップＳ１８２）。
【００６０】
（６）データ解釈部１０４の動作
データ解釈部１０４の動作について、図１１に示すフローチャートを用いて説明する。
データ解釈部１０４は、データ提示制限部１１５からデータ復元信号と購入状態提示信号とを受け取る（ステップＳ２０１）。
【００６１】
また、データ解釈部１０４は、データ操作制限部１１６からインタラクティブデータ操作信号を受け取る（ステップＳ２０２）。
次に、データ解釈部１０４は、受け取った前記データ復元信号に含まれる１個の提示単位が最初に表示すべき旨を示す情報を含まない場合（ステップＳ２０３）、インタラクティブデータ操作信号を受け取っていれば（ステップＳ２０６）、受け取ったインタラクティブ操作信号により示される提示単位を放送波から取得する（ステップＳ２０７）。
【００６２】
次に、データ解釈部１０４は、前記提示単位に含まれるビットマップ表、文字列表などを用いて映像データのデータ信号を生成し（ステップＳ２０４）、生成したデータ信号を合成部１０６へ出力する（ステップＳ２０５）。
また、データ解釈部１０４は、受け取った前記購入状態提示信号をデータ操作制限部１１６へ出力する（ステップＳ２０８）。
【００６３】
次に、データ解釈部１０４は、ステップＳ２０１へ戻って処理を繰り返す。
（７）データ判別部１１７の動作
データ判別部１１７の動作について、図１２に示すフローチャートを用いて説明する。
データ判別部１１７は、データ解釈部１０４からデータ復元信号を受け取り（ステップＳ２２１）、データ操作制限部１１６からインタラクティブデータ操作情報を受け取る（ステップＳ２２２）。
【００６４】
次に、データ判別部１１７は、提示単位内のビットマップ表から、受け取ったインタラクティブデータ操作情報により指定されるビットマップデータとインデックスとからなる組を特定する（ステップＳ２２３）。
次に、データ判別部１１７は、提示単位内のハンパーリンク表において、特定された前記組に対応するインデックスとハイパーリンク先とからなる組を特定し、特定された組に含まれるハイパーリンク先を取得する（ステップＳ２２４）。
【００６５】
次に、データ判別部１１７は、ハイパーリンク先が示すＩｄと現在の提示単位のＩｄとを比較することにより、受け取ったインタラクティブデータ操作情報により示されるハイパーリンク先の提示単位が、現在提示中の提示単位と同グループに所属するかを判別する（ステップＳ２２５）。
次に、データ判別部１１７は、生成した判別結果をデータ操作制限部１１６へ出力する（ステップＳ２２６）。
【００６６】
次に、ステップＳ２２５の詳細について、図１３に示すフローチャートを用いて説明する。
データ判別部１１７は、それぞれのＩｄの１００の位が一致するか否かを判断し、一致するなら（ステップＳ２４１）、一致を示す判断結果を生成する（ステップＳ２４４）。一致しないなら（ステップＳ２４１）、不一致を示す判断結果を生成する（ステップＳ２４５）。
【００６７】
（８）データ操作制限部１１６の動作
データ操作制限部１１６の動作について、図１４に示すフローチャートを用いて説明する。
データ操作制限部１１６は、制御部１０７からインタラクティブデータ操作信号を受け取り（ステップＳ２６１）、受け取ったインタラクティブデータ操作信号を、インタラクティブデータ操作情報としてデータ判別部１１７に出力する（ステップＳ２６２）。
【００６８】
また、データ操作制限部１１６は、データ解釈部１０４から購入状態提示信号を受け取り（ステップＳ２６３）、データ判別部１１７から判別結果を受け取る（ステップＳ２６４）。次に、データ操作制限部１１６は、受け取った購入状態提示信号が視聴許可状態である場合には（ステップＳ２６５）、インタラクティブデータ操作信号をデータ解釈部１０４へ出力し（ステップＳ２６７）、ステップＳ２６１又はＳ２６３へ戻る。
【００６９】
また、受け取った購入状態提示信号がプレビュー状態又は視聴禁止状態である場合には（ステップＳ２６５）、判別結果が同一グループを示すとき（ステップＳ２６６）、インタラクティブデータ操作信号をデータ解釈部１０４へ出力し（ステップＳ２６７）、ステップＳ２６１又はＳ２６３へ戻る。
また、判別結果が異なるグループを示すとき（ステップＳ２６６）、ステップＳ２６１又はＳ２６３へ戻る。
【００７０】
１．３  まとめ
以上説明したように、データ判別部１１７は、データ復元信号とインタラクティブデータ操作情報によって、現在提示しているインタラクティブデータが含まれるコンポーネントと、ハイパーリンクで提示を切り替えしようとするインタラクティブデータが含まれるコンポーネントを比較し、判別結果をデータ操作制限部１１６に出力する。データ操作制限部１１６は、判別結果が異なるコンポーネントであれば、そのハイパーリンクを禁止する。
【００７１】
購入状態提示信号が視聴禁止状態又はプレビュー状態でなければ、すなわち視聴可能状態であれば、ハイパーリンクを実行する。購入状態提示信号が視聴禁止状態又はプレビュー状態であれば、ハイパーリンク先が別コンポーネントかを判断し、別コンポーネントでなければ、ハイパーリンクを実行する。別コンポーネントであれば、ハイパーリンク操作を無視する。
【００７２】
具体例を用いて説明すると、現在提示しているインタラクティブデータが図２に示す提示単位２１３であって、「天気予報へ」というボタンが押された場合、同じコンポーネント内の提示単位２０６へのハイパーリンク操作は実行される。異なるコンポーネント内の提示単位２１５へのハイパーリンク操作は無視される。
【００７３】
このように、インタラクティブデータ受信装置１００は、送信されたコンポーネントの内、最初に提示するインタラクティブデータのみを操作できるように制限する。
２．その他の変形例
なお、本発明を上記の実施の形態に基づいて説明してきたが、本発明は、上記の実施の形態に限定されないのはもちろんである。以下のような場合も本発明に含まれる。データ解釈部１０４、データ提示制限部１１５、データ操作制限部１１６のデータ解釈、データ提示及び操作の制限方法の変形例を中心として以下に示す。
【００７４】
（１）最初に提示するインタラクティブデータが含まれる受信単位内のみ、操作できる制限
図１２のステップＳ２２５の変形例の詳細について、図１５に示すフローチャートを用いて説明する。
データ判別部１１７は、それぞれのＩｄの１００の位が一致するか否かを判断し、一致するなら（ステップＳ２４１）、さらに、それぞれのＩｄの１０の位が一致するか否かを判断し、一致するなら（ステップＳ２４２）、一致を示す判断結果を生成する（ステップＳ２４４）。ステップＳ２４１において、一致しないなら、また、ステップＳ２４２において、一致しないなら、不一致を示す判断結果を生成する（ステップＳ２４５）。
【００７５】
具体的には、データ判別部１１７が、データ復元信号とインタラクティブデータ操作情報によって、現在提示しているインタラクティブデータが含まれる受信単位と、ハイパーリンクで提示を切り替えしようとするインタラクティブデータが含まれる受信単位を比較し、判別結果をデータ操作制限部１１６に出力する。データ操作制限部１１６は、判別結果が異なる受信単位であることを示すならば、そのハイパーリンクを禁止する。
【００７６】
具体例を用いて説明すると、現在提示しているインタラクティブデータが図２に示す提示単位２０６であって、「ニュースへ」というボタンが押された場合、提示単位２１３へのハイパーリンク操作は実行される。一方、「大阪」あるいは「東京」というボタンが押された場合、提示単位２０８、２０９へのそれぞれのハイパーリンク操作は無視される。
【００７７】
（２）最初に提示するインタラクティブデータである提示単位内のみ、操作できる制限
図１２のステップＳ２２５の変形例の詳細について、図１６に示すフローチャートを用いて説明する。
データ判別部１１７は、それぞれのＩｄの１００の位が一致するか否かを判断し、一致するなら（ステップＳ２４１）、さらに、それぞれのＩｄの１０の位が一致するか否かを判断し、一致するなら（ステップＳ２４２）、さらに、それぞれのＩｄの１の位が一致するか否かを判断し、一致するなら（ステップＳ２４３）、一致を示す判断結果を生成する（ステップＳ２４４）。ステップＳ２４１において、一致しないなら、また、ステップＳ２４２において、一致しないなら、また、ステップＳ２４３において、一致しないなら、不一致を示す判断結果を生成する（ステップＳ２４５）。
【００７８】
具体的には、データ判別部１１７が、データ復元信号とインタラクティブデータ操作情報によって、現在提示しているインタラクティブデータが含まれる提示単位と、ハイパーリンクで提示を切り替えしようとするインタラクティブデータが含まれる提示単位を比較し、判別結果をデータ操作制限部１１６に出力する。データ操作制限部１１６は、判別結果が異なる提示単位であれば、そのハイパーリンクを禁止する。
【００７９】
具体例を用いて説明すると、現在提示しているインタラクティブデータが提示単位２０６であって、「大阪」、「東京」又は「ニュースへ」というボタンが押された場合、提示単位２０８、２０９、２１３へのそれぞれのハイパーリンク操作は、無視される。
（３）インタラクティブデータに含まれるスクリプトによるインタラクティブデータの提示及び操作の制限（１）
送信装置２０は、図１７に示すスクリプトを含む提示単位を含むＴＳを送信する。インタラクティブデータ受信装置１００の受信部１０１は、前記ＴＳを受信し、復元部１０３は、前記スクリプトを含む提示単位を含むインタラクティブデータをデータ復元信号としてデータ提示制限部１１５へ出力し、データ提示制限部１１５は、前記データ復元信号を出力する。データ解釈部１０４は、図１７に示すスクリプトを含む提示単位を含むデータ復元信号を受け取る。
【００８０】
ここで、図１７に示すスクリプトの２行目に記載されている「提示単位１」の示す値は、関数の引数のようにその都度変更することができる値である。例えば、このスクリプトが提示単位２０８に含まれる場合には、「提示単位１」は、提示単位２０６を示す提示単位Ｉｄを有し、また、このスクリプトが提示単位２０６に含まれる場合には、「提示単位１」は、提示単位２１３を示す値を有する。
【００８１】
データ解釈部１０４の動作について、図１８に示すフローチャートを用いて説明する。
なお、図１８のフローチャートにおいて、図１１に示すフローチャートと同じ符号が付されたステップは、同じ動作を示す。ここでは、異なる動作を有するステップを中心として説明する。
【００８２】
ステップＳ２０１又はＳ２０２の後で、データ解釈部１０４は、提示単位中にスクリプトが含まれているか否かを判断し、スクリプトが含まれていると判断する場合には（ステップＳ２１１）、前記スクリプトを実行し（ステップＳ２１２）、次に、ステップ２０１へ戻って処理を繰り返す。
次に、ステップＳ２１２の詳細について、図１９に示すフローチャートを用いて説明する。
【００８３】
データ解釈部１０４は、スクリプトに含まれる行を読み出す（ステップＳ２８１）。読出しが終了すれば（ステップＳ２８２）、処理を終了する。
読出しが終了していなければ（ステップＳ２８２）、読み出した行を解釈し（ステップＳ２８３）、解釈した結果に従って、実行する（ステップＳ２８４）。次に、ステップＳ２８１へ戻って処理を繰り返す。
【００８４】
図１７に示すスクリプトの場合、データ解釈部１０４は、図２０に示すフローチャートのように動作する。
データ解釈部１０４は、購入状態提示信号が視聴許可状態である場合（ステップＳ３０１）、インタラクティブデータ操作信号を受け取っているとき（ステップＳ３０２）、インタラクティブデータ操作信号に基づいて提示単位を選択して取得し（ステップＳ３０３）、提示単位に含まれるビットマップ表、文字列表などを用いて映像データのデータ信号を生成し（ステップＳ３０４）、生成したデータ信号を合成部１０６へ出力し（ステップＳ３０５）、次に処理を終了する。
【００８５】
データ解釈部１０４は、購入状態提示信号がプレビュー状態である場合（ステップＳ３０１）、提示単位に含まれるビットマップ表、文字列表などを用いて映像データのデータ信号を生成し（ステップＳ３０４）、生成したデータ信号を合成部１０６へ出力し（ステップＳ３０５）、次に処理を終了する。
データ解釈部１０４は、購入状態提示信号が視聴禁止状態である場合（ステップＳ３０１）、次に処理を終了する。
【００８６】
（４）インタラクティブデータに含まれるスクリプトによるインタラクティブデータの提示及び操作の制限（２）
インタラクティブ受信装置１００は、あらかじめスクリプトを記憶するスクリプト記憶領域を備えている。スクリプト記憶領域は、半導体メモリから構成される。スクリプト記憶領域には、初期値として空白が記憶されている。
【００８７】
なお、スクリプト記憶領域には、図１７に示すスクリプトがハイパーリンク命令の初期値として記憶されているとしてもよい。また、インタラクティブ受信装置１００は、放送波から初期値としての初期スクリプトを受信し、スクリプト記憶領域は、受信した初期スクリプトを初期値として記憶するとしてもよい。
送信装置２０は、図２１に示すスクリプトを含む提示単位を含むＴＳを送信する。図２１に示すスクリプトは、ハイパーリンク命令の登録、変更、追加、削除などを示す更新命令と、前記命令の対象となるハイパーリンク命令などを含む。インタラクティブデータ受信装置１００の受信部１０１は、前記ＴＳを受信し、復元部１０３は、前記スクリプトを含む提示単位を含むインタラクティブデータをデータ復元信号としてデータ提示制限部１１５へ出力し、データ提示制限部１１５は、前記データ復元信号を出力する。データ解釈部１０４は、図２１に示すスクリプトを含む提示単位を含むデータ復元信号を受け取る。次に、受け取ったスクリプトに含まれる更新命令の内容を解釈し、更新命令が、ハイパーリンク命令の登録、変更、追加、削除を示すと解釈するとき、それぞれ、インタラクティブデータ受信装置１００の内部のスクリプト記憶領域に記憶しているハイパーリンク命令の登録、変更、追加、削除を行う。次に、登録、変更、追加、削除の行われたハイパーリンク命令を実行する。
【００８８】
データ解釈部１０４の動作について説明する。データ解釈部１０４は、図１８に示すフローチャートと同様に動作する。図１８に示すフローチャートとの相違点について図２２に示すフローチャートを用いて説明する。
データ解釈部１０４は、図１８に示すフローチャートのステップＳ２１１において、スクリプトが含まれていると判断する場合には、前記スクリプトが更新命令を含むか否かを判断し、更新命令を含まないと判断する場合（ステップＳ４０１）、スクリプトを実行し（ステップＳ２１２）、ステップＳ２０１へ戻る。
【００８９】
更新命令を含むと判断する場合（ステップＳ４０１）、更新命令の種類に応じて、更新命令が「登録」であるとき（ステップＳ４０２）、スクリプトに含まれるハイパーリンク命令をスクリプト記憶領域に登録し（ステップＳ４０３）、スクリプトを実行し（ステップＳ４０７）、ステップＳ２０１へ進む。更新命令が「変更」であるとき（ステップＳ４０２）、スクリプト記憶領域に記憶されているスクリプトに含まれるハイパーリンク命令を更新し（ステップＳ４０４）、スクリプトを実行し（ステップＳ４０７）、ステップＳ２０１へ進む。更新命令が「追加」であるとき（ステップＳ４０２）、スクリプトに含まれるハイパーリンク命令をスクリプト記憶領域に追加して登録し（ステップＳ４０５）、スクリプトを実行し（ステップＳ４０７）、ステップＳ２０１へ進む。更新命令が「削除」であるとき（ステップＳ４０２）、スクリプト記憶領域に記録されているハイパーリンク命令を削除し（ステップＳ４０６）、ステップＳ２０１へ進む。
【００９０】
図２１に示すスクリプトの場合、データ解釈部１０４は、図２３に示すフローチャートのように動作する。
データ解釈部１０４は、購入状態提示信号が視聴許可状態である場合（ステップＳ３２１）、インタラクティブデータ操作信号を受け取っているとき（ステップＳ３２３）、インタラクティブデータ操作信号に基づいて提示単位を選択して取得し（ステップＳ３２４）、提示単位に含まれるビットマップ表、文字列表などを用いて映像データのデータ信号を生成し（ステップＳ３２５）、生成したデータ信号を合成部１０６へ出力し（ステップＳ３２６）、次に処理を終了する。
【００９１】
データ解釈部１０４は、購入状態提示信号がプレビュー状態である場合、又は視聴禁止状態である場合（ステップＳ３２１）、番組を購入しないと機能しない旨のメッセージを生成し、生成したメッセージを含む映像データのデータ信号を生成し（ステップＳ３２２）、生成したデータ信号を合成部１０６へ出力し（ステップＳ３２６）、次に処理を終了する。
【００９２】
このように、ハイパーリンクを実行する命令は、視聴許可状態では普通に働くが、プレビュー状態と視聴禁止状態では機能せずその代わりその理由が提示される。
（５）提示単位又は受信単位に付与された視聴可能信号によるインタラクティブデータの提示及び操作の制限
送信装置２０は、図２４に一例として示す視聴可能信号を含む提示単位を含むＴＳを送信する。視聴可能信号は、プレビュー状態専用、又は視聴許可状態専用を示す。インタラクティブデータ受信装置１００の受信部１０１は、前記ＴＳを受信し、復元部１０３は、前記視聴可能信号を含む提示単位を含むインタラクティブデータをデータ復元信号としてデータ提示制限部１１５へ出力し、データ提示制限部１１５は、前記データ復元信号を出力する。データ解釈部１０４は、図２３に示す視聴可能信号を含む提示単位を含むデータ復元信号を受け取り、提示単位内に視聴可能信号があるか否かを判断し、ある場合には、提示単位から視聴可能信号を抽出し、抽出した視聴可能信号をデータ操作制限部１１６へ出力する。
【００９３】
なお、視聴可能信号は、提示単位に含まれるとしているが、受信単位に含まれるとしてもよい。
この場合におけるデータ提示制限部１１５の動作について、図２５に示すフローチャートを用いて説明する。
データ提示制限部１１５は、復元部１０３からデータ復元信号と購入状態提示信号とを受け取る（ステップＳ１８１）。
【００９４】
データ提示制限部１１５は、購入状態提示信号が視聴可能状態を示す場合（ステップＳ１８３）、視聴可能信号が視聴許可状態を示すとき（ステップＳ１８４）、受け取ったデータ復元信号と購入状態提示信号とをデータ解釈部１０４へ出力し（ステップＳ１８２）、ステップＳ１８１へ戻る。視聴可能信号が視聴許可状態以外を示すとき（ステップＳ１８４）、ステップＳ１８１へ戻る。
【００９５】
データ提示制限部１１５は、購入状態提示信号がプレビュー状態を示す場合（ステップＳ１８３）、視聴可能信号がプレビュー状態を示すとき（ステップＳ１８５）、受け取ったデータ復元信号と購入状態提示信号とをデータ解釈部１０４へ出力し（ステップＳ１８２）、ステップＳ１８１へ戻る。視聴可能信号がプレビュー以外を示すとき（ステップＳ１８５）、ステップＳ１８１へ戻る。
【００９６】
データ提示制限部１１５は、購入状態提示信号がその他の状態を示す場合（ステップＳ１８３）、ステップＳ１８１へ戻る。
このように、提示単位、又は受信単位にあらかじめプレビュー状態専用または視聴許可状態専用を判定できる視聴可能信号を付与しておき、データ提示制限部１１５が購入状態提示信号に基づいた適切なインタラクティブデータのみの提示を許可する。
【００９７】
このとき、データ操作制限部１１６は、図２６に示すフローチャートに基づいて動作する。
データ操作制限部１１６は、データ解釈部１０４から購入状態提示信号又は購入状態提示信号及び視聴可能信号を受け取り（ステップＳ３４１）、視聴可能信号を受け取った場合（ステップＳ３４２）、図１４のフローチャートに示す動作と同様の処理を行い（ステップＳ３４７）、ステップＳ３４１へ戻る。
【００９８】
視聴可能信号を受け取っていない場合（ステップＳ３４２）、データ操作制限部１１６は、購入状態提示信号がプレビュー状態を示すとき（ステップＳ３４３）、視聴可能信号がプレビュー状態であるなら（ステップＳ３４５）、インタラクティブデータ操作信号をデータ解釈部１０４へ出力し（ステップＳ３４６）、ステップＳ３４１へ戻る。視聴可能信号がプレビュー状態でないなら（ステップＳ３４５）、ステップＳ３４１へ戻る。
【００９９】
購入状態提示信号が視聴許可状態を示すとき（ステップＳ３４３）、データ操作制限部１１６は、視聴可能信号が視聴許可状態であるなら（ステップＳ３４４）、インタラクティブデータ操作信号をデータ解釈部１０４へ出力し（ステップＳ３４６）、ステップＳ３４１へ戻る。視聴可能信号が視聴許可状態でないなら（ステップＳ３４４）、ステップＳ３４１へ戻る。
【０１００】
購入状態提示信号が他の状態を示すとき（ステップＳ３４３）、データ操作制限部１１６は、ステップＳ３４１へ戻る。
なお、コンポーネントには、その中で配信される提示単位及び受信単位の構成が記述されたディレクトリ情報が配信される場合がある。前記視聴可能信号はこのディレクトリ情報に付与してもよい。
【０１０１】
（６）インタラクティブデータの総操作回数の制限
データ操作制限部１１６は、インタラクティブデータ操作信号から操作回数をカウントし、カウント数がある決められた回数、例えば５０回以上に達した場合はインタラクティブデータの操作信号を無視する。
データ操作制限部１１６の動作について、図２７に示すフローチャートを用いて説明する。なお、図２７に示すフローチャートと図１４に示すフローチャートにおいて、異なる符号が付されたステップは、異なる動作をするので、これらのステップを中心として説明する。
【０１０２】
開始直後において、データ操作制限部１１６は、カウント数を０の値により初期化する（ステップＳ３６０）。ここで、カウント数を初期化するタイミングの具体的な一例は、利用者が該当する番組を初めて選択したときである。
ステップＳ２６１の直後において、データ操作制限部１１６は、カウント数に１を加算する（ステップＳ３６１）。
【０１０３】
ステップＳ２６７の直前において、データ操作制限部１１６は、カウント数と５０とを比較し、５０より大きければ（ステップＳ３６３）、ステップＳ２６１又はＳ２６３へ戻る。そうでなければ（ステップＳ３６３）、ステップＳ２６７へ進む。
（７）購入状態がプレビュー状態か視聴禁止状態なら、インタラクティブデータの提示をしないようにする制限
データ提示制限部１１５は、復元部１０３から受け取った購入状態提示信号を基にして、前記購入状態提示信号がプレビュー状態または視聴禁止状態ならインタラクティブデータの提示を禁止する。
【０１０４】
データ提示制限部１１５の動作について、図２８に示すフローチャートを用いて説明する。
データ提示制限部１１５は、復元部１０３からデータ復元信号と購入状態提示信号とを受け取る（ステップＳ３８１）。
次に、データ提示制限部１１５は、受け取った購入状態提示信号が視聴許可状態、プレビュー状態及び視聴禁止状態のいずれであるかを判断し、視聴許可状態であるなら（ステップＳ３８２）、受け取ったデータ復元信号と購入状態提示信号とをデータ解釈部１０４へ出力し（ステップＳ３８３）、次にステップＳ３８１へ戻って処理を繰り返す。
【０１０５】
受け取った購入状態提示信号がプレビュー状態及び視聴禁止状態のいずれかであるなら（ステップＳ３８２）、ステップＳ３８１へ戻って処理を繰り返す。
（８）購入状態がプレビュー状態か視聴禁止状態なら、インタラクティブデータの操作を禁止する制限
データ操作制限部１１６は、データ解釈部１０４から受け取った購入状態提示信号に基づいて、前記購入状態提示信号がプレビュー状態または視聴禁止状態ならインタラクティブデータ操作信号を無視する。
【０１０６】
データ操作制限部１１６の動作を図２９に示すフローチャートを用いて説明する。
図２９に示すフローチャートは、図１４に示すフローチャートからステップＳ２６６を除去したものである。
データ操作制限部１１６は、ステップＳ２６５において、購入状態提示信号がプレビュー状態であるか、または視聴禁止状態である場合に、ステップＳ２６１又はＳ２６３へ戻って処理を繰り返す。
【０１０７】
（９）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フロッピーディスク、ハードディスク、ＣＤ―ＲＯＭ、ＭＯ、ＤＶＤ、ＤＶＤ−ＲＯＭ、ＤＶＤ−ＲＡＭ、半導体メモリなど、に記録したものとしてもよい。また、これらの記録媒体に記録されている前記コンピュータプログラム又は前記デジタル信号であるとしてもよい。
【０１０８】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１０９】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（１０）上記実施の形態及び上記変形例をそれぞれ組み合わせるとしてもよい。
【０１１０】
以上のように、本発明によれば、プレビュー状態におけるインタラクティブデータに視聴制限を設けることができる。その結果、プレビュー時間内にインタラクティブデータをすべて見られてしまうことを防ぐことができる。また、視聴禁止状態におけるインタラクティブデータの提示及び操作を禁止することによって、プレビュー時間中にメモリに蓄積されたインタラクティブデータを視聴禁止時間中に見られてしまうことを防ぐことができる。さらに、プレビュー時間内に操作できるインタラクティブデータを番組制作者が意図的に限られたものにすることができ、かつ視聴者がその番組を購入したくなるような見せ方をすることができる。
【０１１１】
【発明の効果】
以上説明したように、本発明は、繰り返し放送されるインタラクティブデータを含む放送波を受信して擬似的に対話性を実現するデジタル放送受信装置であって、インタラクティブデータを含む放送波を受信する受信手段と、受信した放送波を利用するための条件を示す利用契約情報に基づいて、前記放送波を受信している状態が、プレビュー状態、視聴禁止状態及び他の状態のいずれであるかを判断し、ここで、前記プレビュー状態は、前記利用契約の締結なしに利用できることを示す状態であり、前記視聴禁止状態は、前記利用契約の締結がなく利用できないことを示す状態である判断手段と、プレビュー状態及び視聴禁止状態であると判断された場合に、前記インタラクティブデータの利用を抑制する抑制手段とを備える。
【０１１２】
この構成によると、プレビュー状態又は視聴禁止状態であると判断された場合に、前記インタラクティブデータの利用を抑制するので、料金を支払わずに、インタラクティブデータの内容を全て知られてしまうということがない。
ここで、複数の表示データと、各表示データに対応付けられ他の表示データへのリンクを示すリンク制御情報とから構成されるインタラクティブデータを含む放送波が放送され、前記デジタル放送受信装置において、前記複数の表示データのうちの１の表示データが表示されており、前記受信手段は、前記インタラクティブデータを含む放送波を受信し、前記抑制手段は、利用者の操作を受け付ける入力受付手段と、プレビュー状態又は視聴禁止状態であると判断された場合に、受け付けられた前記操作に基づいて、前記１の表示データに対応付けられたリンク制御情報により、リンクが示されている他の表示データと、表示されている前記１の表示データとが同じグループに属するか否かを判断し、同じグループに属すると判断されるときに、前記リンク制御情報によりリンクが示されている他の表示データを取得し、同じグループに属さないと判断されるときに、受け付けられた前記操作の利用を抑制するリンク手段と、取得した前記他の表示データを表示する表示手段とを含むように構成してもよい。
【０１１３】
この構成によると、同じグループに属すると判断されるときに、前記リンク制御情報によりリンクが示されている他の表示データを取得し、同じグループに属さないと判断されるときに、受け付けられた前記操作の利用を抑制するので、料金を支払わない利用者に対して、インタラクティブデータを公開するというサービスを提供しながら、インタラクティブデータの利用を抑制することができる。
【０１１４】
ここで、複数の表示データと、各表示データに対応付けられ他の表示データへのリンクを示すリンク制御情報と、前記インタラクティブデータの利用を抑制する動作を記述したスクリプトとから構成されるインタラクティブデータを含む放送波が放送され、前記受信手段は、前記インタラクティブデータを含む放送波を受信し、前記抑制手段は、前記インタラクティブデータに含まれるスクリプトを翻訳して実行することにより、前記インタラクティブデータの利用を抑制するように構成してもよい。
【０１１５】
この構成によると、放送波に含まれるスクリプトにより、インタラクティブデータの利用を抑制することができるので、放送局側で利用の抑制を制御できる。
ここで、複数の表示データと、各表示データに対応付けられ他の表示データへのリンクを示すリンク制御情報と、視聴許可又はプレビュー許可を示す視聴可能信号とから構成されるインタラクティブデータを含む放送波が放送され、前記デジタル放送受信装置において、前記複数の表示データのうちの１の表示データが表示されており、前記受信手段は、前記インタラクティブデータを含む放送波を受信し、前記抑制手段は、利用者の操作を受け付ける入力受付手段と、プレビュー状態であると判断された場合に、前記視聴可能信号がプレビュー可能を示すとき、前記受け付けられた操作によりリンクが示された他の表示データを取得し、前記視聴可能信号がプレビュー可能以外を示すとき、前記受け付けられた操作の利用を抑制し、他の状態であると判断された場合に、前記視聴可能信号が視聴許可を示すとき、前記受け付けられた操作によりリンクが示された他の表示データを取得し、前記視聴可能信号が視聴許可以外を示すとき、前記受け付けられた操作の利用を抑制するリンク手段と、取得した前記他の表示データを表示する表示手段とを含むように構成してもよい。
【０１１６】
この構成によると、放送波に含まれる視聴可能信号により、インタラクティブデータの利用を抑制することができるので、放送局側で利用の抑制を制御できる。
ここで、複数の表示データと、各表示データに対応付けられ他の表示データへのリンクを示すリンク制御情報とから構成されるインタラクティブデータを含む放送波が放送され、前記デジタル放送受信装置において、前記複数の表示データのうちの１の表示データが表示されており、前記受信手段は、前記インタラクティブデータを含む放送波を受信し、前記抑制手段は、利用者の操作を受け付ける入力受付手段と、前記操作を受け付けた回数を計数するカウント手段と、プレビュー状態又は視聴禁止状態であると判断された場合に、計数された前記回数が所定値を超えるとき、受け付けられた前記操作の利用を抑制するリンク手段とを含むように構成してもよい。
【０１１７】
この構成によると、操作回数によりインタラクティブデータの利用を抑制するので、利用者の利用頻度に応じてインタラクティブデータを公開するというサービスを提供しながら、インタラクティブデータの利用を抑制することができる。
ここで、複数の表示データと、各表示データに対応付けられ他の表示データへのリンクを示すリンク制御情報とから構成されるインタラクティブデータを含む放送波が放送され、前記デジタル放送受信装置において、前記複数の表示データのうちの１の表示データが表示されており、前記受信手段は、前記インタラクティブデータを含む放送波を受信し、前記抑制手段は、利用者の操作を受け付ける入力受付手段と、プレビュー状態又は視聴禁止状態であると判断された場合に、受け付けられた前記操作の利用を抑制し、他の状態であると判断された場合に、前記受け付けられた操作によりリンクが示された他の表示データを取得するリンク手段と、取得した前記他の表示データを表示する表示手段とを含むように構成してもよい。
【０１１８】
この構成によると、プレビュー状態又は視聴禁止状態であると判断された場合に、受け付けられた前記操作の利用を抑制し、他の状態であると判断された場合に、前記受け付けられた操作によりリンクが示された他の表示データを取得して表示するので、料金を支払わずに、インタラクティブデータの内容を全て知られてしまうということがない。
【図面の簡単な説明】
【図１】本発明の１の実施の形態としてのデジタル放送システム１０の構成を示すブロック図である。
【図２】ＭＰＥＧ２トランスポートストリーム２００のデータ構造を示すデータ構造図である。
【図３】提示単位のデータ構造を示すデータ構造図である。
【図４】インタラクティブデータ受信装置１００の構成を示すブロック図である。
【図５】インタラクティブデータ受信装置１００が記憶している情報を示す。
【図６】インタラクティブデータ受信装置１００の全体の概要動作を示すフローチャートである。
【図７】受信部の動作を示すフローチャートである。
【図８】識別部の動作を示すフローチャートである。
【図９】復元部の動作を示すフローチャートである。
【図１０】データ提示制限部の動作を示すフローチャートである。
【図１１】データ解釈部の動作を示すフローチャートである。
【図１２】データ判別部の動作を示すフローチャートである。
【図１３】データ判別部のＩｄ判別の動作を示すフローチャートである。
【図１４】データ操作制限部の動作を示すフローチャートである。
【図１５】データ判別部のまた別のＩｄ判別の動作を示すフローチャートである。
【図１６】データ判別部のさらに別のＩｄ判別の動作を示すフローチャートである。
【図１７】インタラクティブデータ受信装置１００が受信するスクリプトの一例を示す。
【図１８】データ解釈部のまた別の動作を示すフローチャートである。
【図１９】データ解釈部のスクリプト解釈及び実行の動作を示すフローチャートである。
【図２０】データ解釈部の実行例の動作を示すフローチャートである。
【図２１】インタラクティブデータ受信装置１００が受信するスクリプトの一例を示す。
【図２２】データ解釈部のまた別の動作を示すフローチャートである。
【図２３】データ解釈部のまた別の実行例の動作を示すフローチャートである。
【図２４】インタラクティブデータ受信装置１００が受信する提示単位の一例を示す。
【図２５】データ提示制限部のまた別の動作を示すフローチャートである。
【図２６】データ操作制限部のまた別の動作を示すフローチャートである。
【図２７】データ操作制限部のまた別の動作を示すフローチャートである。
【図２８】データ提示制限部のまた別の動作を示すフローチャートである。
【図２９】データ操作制限部のまた別の動作を示すフローチャートである。
【符号の説明】
１０    デジタル放送システム
２０    送信装置
３０    放送衛星
１００    インタラクティブデータ受信装置
１０１    受信部
１０２    識別部
１０３    復元部
１０４    データ解釈部
１０５    ＡＶ再生部
１０６    合成部
１０７    制御部
１０８    データ記憶部
１０９    ＩＣメモリカード入出力部
１１０    入力部
１１５    データ提示制限部
１１６    データ操作制限部
１１７    データ判別部
【図１】
0004718690.tif 000002
【図２】
0004718690.tif 000003
【図３】
0004718690.tif 000004
【図４】
0004718690.tif 000005
【図５】
0004718690.tif 000006
【図６】
0004718690.tif 000007
【図７】
0004718690.tif 000008
【図８】
0004718690.tif 000009
【図９】
0004718690.tif 000010
【図１０】
0004718690.tif 000011
【図１１】
0004718690.tif 000012
【図１２】
0004718690.tif 000013
【図１３】
0004718690.tif 000014
【図１４】
0004718690.tif 000015
【図１５】
0004718690.tif 000016
【図１６】
0004718690.tif 000017
【図１７】
0004718690.tif 000018
【図１８】
0004718690.tif 000019
【図１９】
0004718690.tif 000020
【図２０】
0004718690.tif 000021
【図２１】
0004718690.tif 000022
【図２２】
0004718690.tif 000023
【図２３】
0004718690.tif 000024
【図２４】
0004718690.tif 000025
【図２５】
0004718690.tif 000026
【図２６】
0004718690.tif 000027
【図２７】
0004718690.tif 000028
【図２８】
0004718690.tif 000029
【図２９】
0004718690.tif 000030